【手続補正書】
【提出日】平成16年9月21日(2004.9.21)
【手続補正１】
【補正対象書類名】明細書
【補正対象項目名】発明の名称
【補正方法】変更
【補正の内容】
【発明の名称】ネットワークを利用した印刷物作成方法および作成装置
【手続補正２】
【補正対象書類名】明細書
【補正対象項目名】特許請求の範囲
【補正方法】変更
【補正の内容】
【特許請求の範囲】
【請求項１】
受注者側コンピュータと発注者側コンピュータとをネットワークを介して接続し、
前記受注者側コンピュータには、チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンと、を用意し、
前記発注者側コンピュータには、前記ネットワークを介して、前記受注者側コンピュータに用意された複数通りの商品画像および複数通りの割付パターンを取り込む機能と、取り込んだ複数通りの商品画像をディスプレイ画面上に表示させ、この表示に基づいて所望の商品画像を指定する発注者からの画像選択指示を入力する機能と、取り込んだ複数通りの割付パターンを、特定の商品画像をどの位置にどの大きさで割り付けるかを示す形式でディスプレイ画面上に提示させ、この提示に基づいて所望の割付パターンを指定する発注者からの割付パターン選択指示を入力する機能と、を設け、
前記受注者側コンピュータには、前記ネットワークを介して前記画像選択指示および前記割付パターン選択指示を取り込み、前記画像選択指示によって指定された商品画像を、前記割付パターン選択指示によって指定された割付パターンに基づいて割り付けることにより集版データを作成する機能を設け、
前記集版データに基づいて印刷を行うことを特徴とするネットワークを利用した印刷物作成方法。
【請求項２】
受注者側コンピュータと発注者側コンピュータとをネットワークを介して接続し、
前記受注者側コンピュータには、チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンと、を用意し、
前記発注者側コンピュータには、前記ネットワークを介して、前記受注者側コンピュータに用意された各商品についての複数通りの商品画像および複数通りの割付パターンを取り込む機能と、取り込んだ各商品についての複数通りの商品画像をディスプレイ画面上に表示させ、この表示に基づいて個々の商品ごとに所望の商品画像を指定する発注者からの画像選択指示を入力する機能と、取り込んだ複数通りの割付パターンを、商品画像をどの位置にどの大きさで割り付けるかを示す形式でディスプレイ画面上に提示させ、この提示に基づいて所望の割付パターンを指定する発注者からの割付パターン選択指示を入力する機能と、を設け、
前記受注者側コンピュータには、前記ネットワークを介して前記画像選択指示および前記割付パターン選択指示を取り込み、前記画像選択指示によって指定された個々の商品ごとの商品画像を、前記割付パターン選択指示によって指定された割付パターンに基づいて割り付けることにより集版データを作成する機能を設け、
前記集版データに基づいて印刷を行うことを特徴とするネットワークを利用した印刷物作成方法。
【請求項３】
請求項１または２に記載の印刷物作成方法において、
発注者側コンピュータには、印刷物への掲載対象となる任意の文字列を入力する機能を更に付加し、
受注者側コンピュータに用意する割付パターンには、前記文字列に関する割付態様を示すパターンを含ませるようにし、
受注者側コンピュータには、画像選択指示によって指定された商品画像と、入力された文字列との双方を前記割付パターンに基づいて割り付けることにより集版データを作成する機能を設けたことを特徴とするネットワークを利用した印刷物作成方法。
【請求項４】
請求項１〜３のいずれかに記載の印刷物作成方法において、
受注者側コンピュータに、個々の商品に関する画像として、印刷に利用するのに十分な解像度をもった高解像度画像と、画面表示に利用するのに十分な解像度をもった低解像度画像と、を用意し、発注者側コンピュータに対しては前記低解像度画像を提供し、集版データを作成する際には前記高解像度画像を用いることを特徴とするネットワークを利用した印刷物作成方法。
【請求項５】
請求項１〜４のいずれかに記載の印刷物作成方法において、
受注者側コンピュータおよび発注者側コンピュータを、インターネットプロトコルを用いてネットワークに接続し、
前記受注者側コンピュータには、発注者に対して必要な情報を伝達し、発注者からの選択指示あるいは文字入力を受け付けるためのホームページを提供するＷＷＷサーバ機能を設け、
前記発注者側コンピュータには、前記ＷＷＷサーバが提供するホームページに対する閲覧および情報入力を行うためのＷＷＷブラウザ機能を設けたことを特徴とするネットワークを利用した印刷物作成方法。
【請求項６】
チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンとを格納した第１の記憶装置と、
前記第１の記憶装置に格納されている複数通りの商品画像をディスプレイ画面上に表示させ、この表示に基づいて所望の商品画像を指定する画像選択指示を入力する機能と、前記第１の記憶装置に格納されている複数通りの割付パターンを、特定の商品画像をどの位置にどの大きさで割り付けるかを示す形式でディスプレイ画面上に提示させ、この提示に基づいて所望の割付パターンを指定する割付パターン選択指示を入力する機能と、を果たすことができるホームページ用データを格納した第２の記憶装置と、
前記第２の記憶装置に格納されているホームページ用データをインターネットを介して提供するとともに、インターネットを介して前記ホームページ用データを閲覧したＷＷＷブラウザ装置から入力される選択指示を取り込むＷＷＷサーバ装置と、
前記ＷＷＷサーバ装置が取り込んだ選択指示に基づいて、前記第１の記憶装置に格納されている商品画像および割付パターンを選択し、選択された商品画像を選択された割付パターンに基づいて割り付けることにより集版データを作成する集版装置と、
作成された集版データに基づいて印刷を行う印刷装置と、
を備えることを特徴とするネットワークを利用した印刷物作成装置。
【請求項７】
チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンとを格納した第１の記憶装置と、
前記第１の記憶装置に格納されている各商品についての複数通りの商品画像をディスプレイ画面上に表示させ、この表示に基づいて個々の商品ごとに所望の商品画像を指定する画像選択指示を入力する機能と、前記第１の記憶装置に格納されている複数通りの割付パターンを、商品画像をどの位置にどの大きさで割り付けるかを示す形式でディスプレイ画面上に提示させ、この提示に基づいて所望の割付パターンを指定する割付パターン選択指示を入力する機能と、を果たすことができるホームページ用データを格納した第２の記憶装置と、
前記第２の記憶装置に格納されているホームページ用データをインターネットを介して提供するとともに、インターネットを介して前記ホームページ用データを閲覧したＷＷＷブラウザ装置から入力される選択指示を取り込むＷＷＷサーバ装置と、
前記ＷＷＷサーバ装置が取り込んだ選択指示に基づいて、前記第１の記憶装置に格納されている商品画像および割付パターンを選択し、選択された個々の商品ごとの商品画像を選択された割付パターンに基づいて割り付けることにより集版データを作成する集版装置と、
作成された集版データに基づいて印刷を行う印刷装置と、
を備えることを特徴とするネットワークを利用した印刷物作成装置。
【請求項８】
請求項６または７に記載の印刷物作成装置において、
第２の記憶装置内には、ＷＷＷブラウザ装置から任意の文字列を入力する機能をもったホームページを提示するためのホームページ用データが格納され、
ＷＷＷサーバ装置は、前記ＷＷＷブラウザ装置から入力された文字列を取り込む機能を有し、
集版装置は、前記ＷＷＷサーバ装置が取り込んだ文字列を割り付ける処理を更に行うことにより、集版データを作成することを特徴とするネットワークを利用した印刷物作成装置。
【請求項９】
チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンとを格納した記憶装置と、
前記記憶装置に格納されている複数通りの商品画像を、ネットワークを介して接続されたＷＷＷブラウザ装置のディスプレイ画面上に表示させ、この表示に基づいて所望の商品画像を指定する画像選択指示が前記ＷＷＷブラウザ装置から入力されたときに、ネットワークを介してこの画像選択指示を取り込む機能と、前記記憶装置に格納されている複数通りの割付パターンを、特定の商品画像をどの位置にどの大きさで割り付けるかを示す形式で前記ブラウザ装置のディスプレイ画面上に提示させ、この提示に基づいて所望の割付パターンを指定する割付パターン選択指示が前記ＷＷＷブラウザ装置から入力されたときに、ネットワークを介してこの割付パターン選択指示を取り込む機能とを有するＷＷＷサーバ装置と、
前記ＷＷＷサーバ装置が取り込んだ選択指示に基づいて、前記記憶装置に格納されている商品画像および割付パターンを選択し、選択された商品画像を選択された割付パターンに基づいて割り付けることにより集版データを作成する集版装置と、
作成された集版データに基づいて印刷を行う印刷装置と、
を備えることを特徴とするネットワークを利用した印刷物作成装置。
【請求項１０】
チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンとを格納した記憶装置と、
前記記憶装置に格納されている各商品についての複数通りの商品画像を、ネットワークを介して接続されたＷＷＷブラウザ装置のディスプレイ画面上に表示させ、この表示に基づいて個々の商品ごとに所望の商品画像を指定する画像選択指示が前記ＷＷＷブラウザ装置から入力されたときに、ネットワークを介してこの画像選択指示を取り込む機能と、前記記憶装置に格納されている複数通りの割付パターンを、商品画像をどの位置にどの大きさで割り付けるかを示す形式で前記ブラウザ装置のディスプレイ画面上に提示させ、この提示に基づいて所望の割付パターンを指定する割付パターン選択指示が前記ＷＷＷブラウザ装置から入力されたときに、ネットワークを介してこの割付パターン選択指示を取り込む機能とを有するＷＷＷサーバ装置と、
前記ＷＷＷサーバ装置が取り込んだ選択指示に基づいて、前記記憶装置に格納されている商品画像および割付パターンを選択し、選択された個々の商品ごとの商品画像を選択された割付パターンに基づいて割り付けることにより集版データを作成する集版装置と、
作成された集版データに基づいて印刷を行う印刷装置と、
を備えることを特徴とするネットワークを利用した印刷物作成装置。
【手続補正３】
【補正対象書類名】明細書
【補正対象項目名】０００５
【補正方法】変更
【補正の内容】
【０００５】
そこで本発明は、受注者側のデータベースを発注者側に有効に利用させながら、注文処理を効率的に行うことができるネットワークを利用した印刷物作成方法および作成装置を提供することを目的とする。
【手続補正４】
【補正対象書類名】明細書
【補正対象項目名】０００６
【補正方法】変更
【補正の内容】
【０００６】
【課題を解決するための手段】
(1)  本発明の第１の態様は、ネットワークを利用した印刷物作成方法において、
受注者側コンピュータと発注者側コンピュータとをネットワークを介して接続し、
受注者側コンピュータには、チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンと、を用意し、
発注者側コンピュータには、ネットワークを介して、受注者側コンピュータに用意された複数通りの商品画像および複数通りの割付パターンを取り込む機能と、取り込んだ複数通りの商品画像をディスプレイ画面上に表示させ、この表示に基づいて所望の商品画像を指定する発注者からの画像選択指示を入力する機能と、取り込んだ複数通りの割付パターンを、特定の商品画像をどの位置にどの大きさで割り付けるかを示す形式でディスプレイ画面上に提示させ、この提示に基づいて所望の割付パターンを指定する発注者からの割付パターン選択指示を入力する機能と、を設け、
受注者側コンピュータには、ネットワークを介して画像選択指示および割付パターン選択指示を取り込み、画像選択指示によって指定された商品画像を、割付パターン選択指示によって指定された割付パターンに基づいて割り付けることにより集版データを作成する機能を設け、
作成された集版データに基づいて印刷を行うようにしたものである。
【手続補正５】
【補正対象書類名】明細書
【補正対象項目名】０００７
【補正方法】変更
【補正の内容】
【０００７】
(2)  本発明の第２の態様は、ネットワークを利用した印刷物作成方法において、
受注者側コンピュータと発注者側コンピュータとをネットワークを介して接続し、
受注者側コンピュータには、チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンと、を用意し、
発注者側コンピュータには、ネットワークを介して、受注者側コンピュータに用意された各商品についての複数通りの商品画像および複数通りの割付パターンを取り込む機能と、取り込んだ各商品についての複数通りの商品画像をディスプレイ画面上に表示させ、この表示に基づいて個々の商品ごとに所望の商品画像を指定する発注者からの画像選択指示を入力する機能と、取り込んだ複数通りの割付パターンを、商品画像をどの位置にどの大きさで割り付けるかを示す形式でディスプレイ画面上に提示させ、この提示に基づいて所望の割付パターンを指定する発注者からの割付パターン選択指示を入力する機能と、を設け、
受注者側コンピュータには、ネットワークを介して画像選択指示および割付パターン選択指示を取り込み、画像選択指示によって指定された個々の商品ごとの商品画像を、割付パターン選択指示によって指定された割付パターンに基づいて割り付けることにより集版データを作成する機能を設け、
作成された集版データに基づいて印刷を行うようにしたものである。
【手続補正６】
【補正対象書類名】明細書
【補正対象項目名】０００８
【補正方法】変更
【補正の内容】
【０００８】
(3)  本発明の第３の態様は、上述の第１または第２の態様に係るネットワークを利用した印刷物作成方法において、
発注者側コンピュータには、印刷物への掲載対象となる任意の文字列を入力する機能を更に付加し、
受注者側コンピュータに用意する割付パターンには、文字列に関する割付態様を示すパターンを含ませるようにし、
受注者側コンピュータには、画像選択指示によって指定された商品画像と、入力された文字列との双方を割付パターンに基づいて割り付けることにより集版データを作成する機能を設けるようにしたものである。
【手続補正７】
【補正対象書類名】明細書
【補正対象項目名】０００９
【補正方法】変更
【補正の内容】
【０００９】
(4)  本発明の第４の態様は、上述の第１〜第３の態様に係るネットワークを利用した印刷物作成方法において、
受注者側コンピュータに、個々の商品に関する画像として、印刷に利用するのに十分な解像度をもった高解像度画像と、画面表示に利用するのに十分な解像度をもった低解像度画像と、を用意し、発注者側コンピュータに対しては低解像度画像を提供し、集版データを作成する際には高解像度画像を用いるようにしたものである。
【手続補正８】
【補正対象書類名】明細書
【補正対象項目名】００１０
【補正方法】変更
【補正の内容】
【００１０】
(5)  本発明の第５の態様は、上述の第１〜第４の態様に係るネットワークを利用した印刷物作成方法において、
受注者側コンピュータおよび発注者側コンピュータを、インターネットプロトコルを用いてネットワークに接続し、
受注者側コンピュータには、発注者に対して必要な情報を伝達し、発注者からの選択指示あるいは文字入力を受け付けるためのホームページを提供するＷＷＷサーバ機能を設け、
発注者側コンピュータには、ＷＷＷサーバが提供するホームページに対する閲覧および情報入力を行うためのＷＷＷブラウザ機能を設けるようにしたものである。
【手続補正９】
【補正対象書類名】明細書
【補正対象項目名】００１１
【補正方法】変更
【補正の内容】
【００１１】
(6)  本発明の第６の態様は、ネットワークを利用した印刷物作成装置において、
チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンとを格納した第１の記憶装置と、
第１の記憶装置に格納されている複数通りの商品画像をディスプレイ画面上に表示させ、この表示に基づいて所望の商品画像を指定する画像選択指示を入力する機能と、第１の記憶装置に格納されている複数通りの割付パターンを、特定の商品画像をどの位置にどの大きさで割り付けるかを示す形式でディスプレイ画面上に提示させ、この提示に基づいて所望の割付パターンを指定する割付パターン選択指示を入力する機能と、を果たすことができるホームページ用データを格納した第２の記憶装置と、
第２の記憶装置に格納されているホームページ用データをインターネットを介して提供するとともに、インターネットを介してホームページ用データを閲覧したＷＷＷブラウザ装置から入力される選択指示を取り込むＷＷＷサーバ装置と、
ＷＷＷサーバ装置が取り込んだ選択指示に基づいて、第１の記憶装置に格納されている商品画像および割付パターンを選択し、選択された商品画像を選択された割付パターンに基づいて割り付けることにより集版データを作成する集版装置と、
作成された集版データに基づいて印刷を行う印刷装置と、
を設けるようにしたものである。
【手続補正１０】
【補正対象書類名】明細書
【補正対象項目名】００１２
【補正方法】変更
【補正の内容】
【００１２】
(7)  本発明の第７の態様は、ネットワークを利用した印刷物作成装置において、
チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンとを格納した第１の記憶装置と、
第１の記憶装置に格納されている各商品についての複数通りの商品画像をディスプレイ画面上に表示させ、この表示に基づいて個々の商品ごとに所望の商品画像を指定する画像選択指示を入力する機能と、第１の記憶装置に格納されている複数通りの割付パターンを、商品画像をどの位置にどの大きさで割り付けるかを示す形式でディスプレイ画面上に提示させ、この提示に基づいて所望の割付パターンを指定する割付パターン選択指示を入力する機能と、を果たすことができるホームページ用データを格納した第２の記憶装置と、
第２の記憶装置に格納されているホームページ用データをインターネットを介して提供するとともに、インターネットを介してホームページ用データを閲覧したＷＷＷブラウザ装置から入力される選択指示を取り込むＷＷＷサーバ装置と、
ＷＷＷサーバ装置が取り込んだ選択指示に基づいて、第１の記憶装置に格納されている商品画像および割付パターンを選択し、選択された個々の商品ごとの商品画像を選択された割付パターンに基づいて割り付けることにより集版データを作成する集版装置と、
作成された集版データに基づいて印刷を行う印刷装置と、
を設けるようにしたものである。
【手続補正１１】
【補正対象書類名】明細書
【補正対象項目名】００１３
【補正方法】変更
【補正の内容】
【００１３】
(8)  本発明の第８の態様は、上述の第６または第７の態様に係るネットワークを利用した印刷物作成装置において、
第２の記憶装置内には、ＷＷＷブラウザ装置から任意の文字列を入力する機能をもったホームページを提示するためのホームページ用データが格納され、
ＷＷＷサーバ装置は、ＷＷＷブラウザ装置から入力された文字列を取り込む機能を有し、
集版装置は、ＷＷＷサーバ装置が取り込んだ文字列を割り付ける処理を更に行うことにより、集版データを作成するようにしたものである。
【手続補正１２】
【補正対象書類名】明細書
【補正対象項目名】００１４
【補正方法】変更
【補正の内容】
【００１４】
(9)  本発明の第９の態様は、ネットワークを利用した印刷物作成装置において、
チラシ，カタログ，販促用ポスター，ダイレクトメールなどの商品に関する印刷物への掲載対象となる複数通りの商品画像と、この商品画像をどの位置にどの大きさで割り付けるかを示す複数通りの割付パターンとを格納した記憶装置と、
記憶装置に格納されている複数通りの商品画像を、ネットワークを介して接続されたＷＷＷブラウザ装置のディスプレイ画面上に表示させ、この表示に基づいて所望の商品画像を指定する画像選択指示がＷＷＷブラウザ装置から入力されたときに、ネットワークを介してこの画像選択指示を取り込む機能と、記憶装置に格納されている複数通りの割付パターンを、特定の商品画像をどの位置にどの大きさで割り付けるかを示す形式でブラウザ装置のディスプレイ画面上に提示させ、この提示に基づいて所望の割付パターンを指定する割付パターン選択指示がＷＷＷブラウザ装置から入力されたときに、ネットワークを介してこの割付パターン選択指示を取り込む機能とを有するＷＷＷサーバ装置と、
ＷＷＷサーバ装置が取り込んだ選択指示に基づいて、記憶装置に格納されている商品画像および割付パターンを選択し、選択された商品画像を選択された割付パターンに基づいて割り付けることにより集版データを作成する集版装置と、
作成された集版データに基づいて印刷を行う印刷装置と、
を設けるようにしたものである。
【手続補正１３】
【補正対象書類名】明細書
【補正対象項目名】００１５
【補正方法】変更
【補正の内容】
【００１５】
(10)  本発明の第１０の態様は、ネットワークを利用した印刷物作成装置において、
チラシ，カタログ，販促用ポスター，ダイレクトメールなどの商品に関する印刷物への掲載対象となる複数の商品に関するそれぞれ複数通りの商品画像と、商品画像をどの位置にどの大きさで割り付けるかを示す複数通りの割付パターンとを格納した記憶装置と、
記憶装置に格納されている各商品についての複数通りの商品画像を、ネットワークを介して接続されたＷＷＷブラウザ装置のディスプレイ画面上に表示させ、この表示に基づいて個々の商品ごとに所望の商品画像を指定する画像選択指示がＷＷＷブラウザ装置から入力されたときに、ネットワークを介してこの画像選択指示を取り込む機能と、記憶装置に格納されている複数通りの割付パターンを、商品画像をどの位置にどの大きさで割り付けるかを示す形式でブラウザ装置のディスプレイ画面上に提示させ、この提示に基づいて所望の割付パターンを指定する割付パターン選択指示がＷＷＷブラウザ装置から入力されたときに、ネットワークを介してこの割付パターン選択指示を取り込む機能とを有するＷＷＷサーバ装置と、
ＷＷＷサーバ装置が取り込んだ選択指示に基づいて、記憶装置に格納されている商品画像および割付パターンを選択し、選択された個々の商品ごとの商品画像を選択された割付パターンに基づいて割り付けることにより集版データを作成する集版装置と、
作成された集版データに基づいて印刷を行う印刷装置と、
を設けるようにしたものである。
【手続補正１４】
【補正対象書類名】明細書
【補正対象項目名】００３６
【補正方法】変更
【補正の内容】
【００３６】
【発明の効果】
以上のとおり本発明に係るネットワークを利用した印刷物作成方法および作成装置によれば、受注者側のデータベースを発注者側に有効に利用させながら、注文処理を効率的に行うことができるようになる。